(57)【要約】【課題】絞り羽根に作用する摩擦負荷を軽減し、絞り用開口の大きさを安定して正確に調整する上で有利な絞り装置、レンズ鏡筒および撮像装置を提供する。【解決手段】絞り装置４０は、ベース部材４２と、仕切り板４４と、一対の直進絞り羽根４６と、一対の第１揺動絞り羽根４８と、一対の第２揺動絞り羽根５０と、２枚のスペーサ５２と、環板５４と、モータ５６と、蓋体５８などを含んで構成されている。環板５４と複数の絞り羽根４６、４８、５０との間に、環板５４と複数の絞り羽根とを隔て各絞り羽根の移動を案内する複数のレールが形成された仕切り板４４を設ける。【選択図】図５
2010145708.tif 000002
【特許請求の範囲】
【請求項１】
光路用孔が設けられた板状のベース部材と、
光学系の光軸方向に重ね合わされ前記光軸と直交する平面に沿って前記光軸に対して接離する方向に移動可能に前記ベース部材に支持され前記光軸を中心とする絞り用開口を前記光路用孔の内側に形成する複数の絞り羽根と、
前記複数の絞り羽根を移動させることで前記絞り用開口の大きさを調整する駆動機構とを備え、
前記駆動機構は、前記複数の絞り羽根寄りの前記ベース部材の面に前記光軸を中心として回転可能に設けられた環板と、前記複数の絞り羽根に対応して前記環板に突設された複数の駆動ピンと、前記各絞り羽根に形成され前記対応する駆動ピンが係合されるカム溝と、前記環板を回転するモータとを含んで構成され、
前記環板と前記複数の絞り羽根との間に前記環板と前記複数の絞り羽根とを隔て光路用孔が形成された仕切り板が設けられ、
前記仕切り板は、前記駆動ピンが遊嵌される挿通部と、前記各絞り羽根に向けて突出し前記各絞り羽根に接触して各絞り羽根の移動を案内する複数のレールとが形成された板金製の鋼板である、
絞り装置。
【請求項２】
前記各レールは前記対応する絞り羽根の移動方向に沿って延在形成されている、
請求項１記載の絞り装置。
【請求項３】
前記各レールは前記各絞り羽根に対応して突出高さが異なっている、
請求項１記載の絞り装置。
【請求項４】
前記ベース部材に、前記環板、前記仕切り板、前記複数の絞り羽根を収容する収容部が設けられ、
更に、前記ベース部材に取着され前記収容部に収容した前記環板、前記仕切り板、前記複数の絞り羽根を覆う蓋体が設けられている、
請求項１記載の絞り装置。
【請求項５】
前記絞り羽根は、前記絞り用開口の対向する箇所に、前記光軸に対して接離する方向に直線移動可能に設けられた一対の直進絞り羽根と、前記光軸に対して接離する方向に揺動可能に設けられた一対の揺動絞り羽根とを含み、
前記仕切り板に、前記一対の揺動絞り羽根のうちの一方と、前記一対の直進絞り羽根のうちの一方と、前記一対の直進絞り羽根のうちの他方と、前記一対の揺動絞り羽根のうちの他方とがそれらの順に重ねられ、
前記仕切り板に形成された前記レールは、前記一対の揺動絞り羽根のうちの一方と、前記一対の直進絞り羽根のうちの一方とを案内するレールであり、
前記蓋体に、前記一対の揺動絞り羽根のうちの他方と、前記一対の直進絞り羽根のうちの他方とに接触してそれら絞り羽根の移動を案内するレールが形成されている、
請求項３記載の絞り装置。
【請求項６】
前記絞り羽根は、前記絞り用開口の対向する箇所に、前記光軸に対して接離する方向に直線移動可能に設けられた一対の直進絞り羽根と、前記光軸に対して接離する方向に揺動可能に設けられた一対の揺動絞り羽根とを含み、
前記仕切り板に、前記一対の揺動絞り羽根のうちの一方と、前記一対の直進絞り羽根のうちの一方と、前記一対の直進絞り羽根のうちの他方と、前記一対の揺動絞り羽根のうちの他方とがそれらの順に重ねられ、
前記仕切り板に形成された前記レールは、前記一対の揺動絞り羽根のうちの一方と、前記一対の直進絞り羽根のうちの双方とを案内するレールであり、
前記蓋体に、前記一対の揺動絞り羽根のうちの他方と、前記一対の直進絞り羽根のうちの双方とに接触してそれら絞り羽根の移動を案内するレールが形成されている、
請求項３記載の絞り装置。
【請求項７】
前記一対の直進絞り羽根のうちの一方と他方との間に一対のスペーサが介在され、
前記一対の直進絞り羽根に、該直進絞り羽根を直進移動可能に案内する直線状案内溝がそれぞれ形成され、
一対のスペーサのうちの一方は、前記一対の直進絞り羽根のうちの一方の前記直線状案内溝を覆い、前記一対の揺動絞り羽根のうちの一方の縁部の前記直線状案内溝への干渉を防止し、一対のスペーサのうちの他方は、前記一対の直進絞り羽根のうちの他方の直進絞り羽根の前記直線状案内溝を覆い、前記一対の揺動絞り羽根のうちの他方の揺動絞り羽根の縁部の前記直線状案内溝への干渉を防止している、
請求項４記載の絞り装置。
【請求項８】
前記仕切り板と前記蓋体の双方に、前記一対のスペーサにそれぞれ前記光軸方向においてそれらスペーサを挟むように当接し前記光軸方向におけるそれらスペーサの位置決めを行うレールが設けられている、
請求項７記載の絞り装置。
【請求項９】
前記環板と前記仕切り板との間に固定絞りが設けられている、
請求項１記載の絞り装置。
【請求項１０】
光学系の光軸を中心とする絞り用開口の大きさを調整する絞り装置を備え、
光路用孔が設けられた板状のベース部材と、
光学系の光軸方向に重ね合わされ前記光軸と直交する平面に沿って前記光軸に対して接離する方向に移動可能に前記ベース部材に支持され前記光軸を中心とする絞り用開口を前記光路用孔の内側に形成する複数の絞り羽根と、
前記複数の絞り羽根を移動させることで前記絞り用開口の大きさを調整する駆動機構とを備え、
前記駆動機構は、前記複数の絞り羽根寄りの前記ベース部材の面に前記光軸を中心として回転可能に設けられた環板と、前記複数の絞り羽根に対応して前記環板に突設された複数の駆動ピンと、前記各絞り羽根に形成され前記対応する駆動ピンが係合されるカム溝と、前記環板を回転するモータとを含んで構成され、
前記環板と前記複数の絞り羽根との間に前記環板と前記複数の絞り羽根とを隔て光路用孔が形成された仕切り板が設けられ、
前記仕切り板は、前記駆動ピンが遊嵌される挿通部と、前記各絞り羽根に向けて突出し前記各絞り羽根に接触して各絞り羽根の移動を案内する複数のレールとが形成された板金製の鋼板である、
レンズ鏡筒。
【請求項１１】
光学系の光軸を中心とする絞り用開口の大きさを調整する絞り装置を備え、
前記絞り装置は、
光路用孔が設けられた板状のベース部材と、
光学系の光軸方向に重ね合わされ前記光軸と直交する平面に沿って前記光軸に対して接離する方向に移動可能に前記ベース部材に支持され前記光軸を中心とする絞り用開口を前記光路用孔の内側に形成する複数の絞り羽根と、
前記複数の絞り羽根を移動させることで前記絞り用開口の大きさを調整する駆動機構とを備え、
前記駆動機構は、前記複数の絞り羽根寄りの前記ベース部材の面に前記光軸を中心として回転可能に設けられた環板と、前記複数の絞り羽根に対応して前記環板に突設された複数の駆動ピンと、前記各絞り羽根に形成され前記対応する駆動ピンが係合されるカム溝と、前記環板を回転するモータとを含んで構成され、
前記環板と前記複数の絞り羽根との間に前記環板と前記複数の絞り羽根とを隔て光路用孔が形成された仕切り板が設けられ、
前記仕切り板は、前記駆動ピンが遊嵌される挿通部と、前記各絞り羽根に向けて突出し前記各絞り羽根に接触して各絞り羽根の移動を案内する複数のレールとが形成された板金製の鋼板である、
撮像装置。
【発明の詳細な説明】
【技術分野】
【０００１】
本発明は絞り装置、レンズ鏡筒および撮像装置に関する。
【背景技術】
【０００２】
ビデオカメラやデジタルスチルカメラ等の携帯型の撮像装置、あるいは、液晶プロジェクター等の投影系光学装置に用いられる絞り装置がある。
この種の絞り装置として、絞り用開口の周囲に配置された複数枚の絞り羽根を連動して揺動させることにより絞り用開口の大きさを調整する虹彩絞りを採用したものが知られている。また、絞り用開口を挟み、光軸と直交する直線に沿って２枚の絞り羽根をスライドさせるものが知られている（特許文献１）。
【特許文献１】特開２００１−１１７１３３
【発明の開示】
【発明が解決しようとする課題】
【０００３】
このような絞り装置では、絞り用開口の大きさを安定して正確に調整することが撮像時の露出制御を安定して正確に行う上で重要とされる。
したがって、上述した何れの絞り装置においても、絞り羽根が揺動あるいはスライドする際に、絞り羽根と該絞り羽根を駆動するための部材との間に生じる摩擦負荷を如何にして低減するかが重要となる。
本発明はこのような事情に鑑みなされたものであり、その目的は絞り羽根に作用する摩擦負荷を軽減し、絞り用開口の大きさを安定して正確に調整する上で有利な絞り装置、レンズ鏡筒および撮像装置を提供することにある。
【課題を解決するための手段】
【０００４】
上述の目的を達成するため、本発明の絞り装置は、光路用孔が設けられた板状のベース部材と、光学系の光軸方向に重ね合わされ前記光軸と直交する平面に沿って前記光軸に対して接離する方向に移動可能に前記ベース部材に支持され前記光軸を中心とする絞り用開口を前記光路用孔の内側に形成する複数の絞り羽根と、前記複数の絞り羽根を移動させることで前記絞り用開口の大きさを調整する駆動機構とを備え、前記駆動機構は、前記複数の絞り羽根寄りの前記ベース部材の面に前記光軸を中心として回転可能に設けられた環板と、前記複数の絞り羽根に対応して前記環板に突設された複数の駆動ピンと、前記各絞り羽根に形成され前記対応する駆動ピンが係合されるカム溝と、前記環板を回転するモータとを含んで構成され、前記環板と前記複数の絞り羽根との間に前記環板と前記複数の絞り羽根とを隔て光路用孔が形成された仕切り板が設けられ、前記仕切り板は、前記駆動ピンが遊嵌される挿通部と、前記各絞り羽根に向けて突出し前記各絞り羽根に接触して各絞り羽根の移動を案内する複数のレールとが形成された板金製の鋼板である。
また本発明のレンズ鏡筒は、光学系の光軸を中心とする絞り用開口の大きさを調整する絞り装置を備え、光路用孔が設けられた板状のベース部材と、光学系の光軸方向に重ね合わされ前記光軸と直交する平面に沿って前記光軸に対して接離する方向に移動可能に前記ベース部材に支持され前記光軸を中心とする絞り用開口を前記光路用孔の内側に形成する複数の絞り羽根と、前記複数の絞り羽根を移動させることで前記絞り用開口の大きさを調整する駆動機構とを備え、前記駆動機構は、前記複数の絞り羽根寄りの前記ベース部材の面に前記光軸を中心として回転可能に設けられた環板と、前記複数の絞り羽根に対応して前記環板に突設された複数の駆動ピンと、前記各絞り羽根に形成され前記対応する駆動ピンが係合されるカム溝と、前記環板を回転するモータとを含んで構成され、前記環板と前記複数の絞り羽根との間に前記環板と前記複数の絞り羽根とを隔て光路用孔が形成された仕切り板が設けられ、前記仕切り板は、前記駆動ピンが遊嵌される挿通部と、前記各絞り羽根に向けて突出し前記各絞り羽根に接触して各絞り羽根の移動を案内する複数のレールとが形成された板金製の鋼板である。
また本発明の撮像装置は、光学系の光軸を中心とする絞り用開口の大きさを調整する絞り装置を備え、前記絞り装置は、光路用孔が設けられた板状のベース部材と、光学系の光軸方向に重ね合わされ前記光軸と直交する平面に沿って前記光軸に対して接離する方向に移動可能に前記ベース部材に支持され前記光軸を中心とする絞り用開口を前記光路用孔の内側に形成する複数の絞り羽根と、前記複数の絞り羽根を移動させることで前記絞り用開口の大きさを調整する駆動機構とを備え、前記駆動機構は、前記複数の絞り羽根寄りの前記ベース部材の面に前記光軸を中心として回転可能に設けられた環板と、前記複数の絞り羽根に対応して前記環板に突設された複数の駆動ピンと、前記各絞り羽根に形成され前記対応する駆動ピンが係合されるカム溝と、前記環板を回転するモータとを含んで構成され、前記環板と前記複数の絞り羽根との間に前記環板と前記複数の絞り羽根とを隔て光路用孔が形成された仕切り板が設けられ、前記仕切り板は、前記駆動ピンが遊嵌される挿通部と、前記各絞り羽根に向けて突出し前記各絞り羽根に接触して各絞り羽根の移動を案内する複数のレールとが形成された板金製の鋼板である。
【発明の効果】
【０００５】
本発明によれば、環板の上に複数の絞り羽根を重ねて配置したにも拘わらず仕切り板により複数の絞り羽根と環板との接触が防止されるため、それら絞り羽根の移動を円滑に行う上で有利となる。さらに、複数の絞り羽根は鋼板のレールによって案内されるため、それら絞り羽根の移動を円滑に行う上でより有利となる。
したがって、各絞り羽根に作用する摩擦負荷を軽減し、絞り用開口の大きさを安定して正確に調整する上で有利となる。
【発明を実施するための最良の形態】
【０００６】
次に、本発明の実施の形態について図面を参照して説明する。
図１は本実施の形態の撮像装置１０の斜視図、図２は撮像装置１０のディスプレイパネル２２が開放位置に位置した状態の斜視図、図３は撮像装置１０の制御系の構成を示すブロック図である。
【０００７】
まず、図３を参照して撮像装置１０の制御系の構成について説明する。
本実施の形態では、撮像装置１０はビデオカメラであり記録媒体に対して撮影した動画、静止画、音声などのデータを記録し、また、記録媒体からそれらのデータを再生する。
本実施の形態では、記録媒体として板状または棒状の記録媒体であるメモリカード２を用いた場合について説明する。しかしながら、記録媒体として磁気記録テープ、光ディスク、ハードディスク装置などを用いてもよいことは無論であり、記録媒体として何を用いるかは任意である。
【０００８】
撮像装置１０は外装を構成する筐体１２を有し、筐体１２には撮影光学系１４が組み込まれたレンズ鏡筒１６が設けられている。
レンズ鏡筒１６の後端には撮影光学系１４によって導かれた被写体像を撮像する撮像素子１８が設けられ、レンズ鏡筒１６に本発明に係る絞り装置４０が組み込まれている。
また、撮像装置１０は、マイク２０、ディスプレイパネル２２、スピーカー２６、映像信号用増幅部１０２、映像信号処理部１０４、マイクロフォン用増幅部１０６、音声信号処理部１０８、出力用増幅部１１０、記録再生部１１２、制御部１１４を備えている。
撮像装置１０は、ディスプレイパネルドライバ１１６、バッファメモリ１１８、メモリカード用インターフェース１２０、操作部１２６、外部入出力インターフェース１２８、外部入出力端子１３０、モータ駆動部４１などをさらに含んで構成されている。
撮像素子１８で生成された撮像信号は映像信号用増幅部１０２で増幅され、映像信号処理部１０４に供給される。
映像信号処理部１０４は、撮像信号に所定の信号処理を行うことで、動画データおよび静止画データを生成し、記録再生部１１２に供給される。
マイクロフォン２０で収音された音声信号はマイクロフォン用増幅部１０６で増幅され、音声信号処理部１０８によって所定の信号処理がなされ音声データとして記録再生部１１２に供給される。
【０００９】
記録再生部１１２は、映像信号処理部１０４から供給された動画データおよび静止画データと、音声信号処理部１０８から供給された音声データとを制御部１１４の制御にしたがってメモリカード用インターフェース１２０を介してメモリカード２に記録する。
記録再生部１１２によるメモリカード２へのデータの記録は、例えば、メモリカード２に記録すべきデータをいったんバッファメモリ１１８に蓄積したのち、バッファメモリ１１８から読み出したデータをメモリカード２に書き込むことでなされる。
また、記録再生部１１２は、記録再生部１１２から供給された動画データおよび静止画データを、ディスプレイパネルドライバ１１６を介してディスプレイパネル２２に供給して画像の表示を行わせる。
また、記録再生部１１２は、メモリカード用インターフェース１２０を介してメモリカード２から供給される動画データ、静止画データを、ディスプレイパネルドライバ１１６を介してディスプレイパネル２２に供給して画像の表示を行わせる。
また、記録再生部１１２は、メモリカード用インターフェース１２０を介してメモリカード２から供給される音声信号を出力用増幅部１１０を介してスピーカー２６に供給して音声の出力を行わせる。
外部入出力インターフェース１２８は記録再生部１１２で再生された音声データおよび画像データを所定の信号形式に変換して、外部入出力端子１３０を介してテレビジョン装置、ＨＤＤレコーダー、パーソナルコンピュータなど外部機器に出力するものである。
【００１０】
操作部１２６は、図２に示す複数の操作スイッチ２４、電源スイッチ２８Ａ、静止画撮影用スイッチ２８Ｂ、ズーム用スイッチ２８Ｃ、モード切り換え用スイッチ２８Ｄ、動画撮影用スイッチ２８Ｅを備えている。
これらスイッチ２４、２８Ａ乃至２８Ｅは撮影にまつわる種々の機能を実行するための操作スイッチを構成している。
【００１１】
制御部１１４は、電源スイッチ２８Ａの操作に基づいて撮像装置１０の電源のオン、オフを行う。
制御部１１４は、静止画撮影用スイッチ２８Ｂの操作に基づいて映像信号処理部１０４および記録再生部１１２に指令を与える。これにより、制御部１１４は、映像信号処理部１０４から供給される静止画データを記録再生部１１２を介してメモリカード用インターフェース１２０に供給することで静止画データをメモリカード２に記録させる。
言い換えると、静止画撮影用スイッチ２８Ｂは、いわゆるシャッタボタンとして機能している。
【００１２】
制御部１１４は、ズーム用スイッチ２８Ｃの操作に基づいて不図示のズーム駆動部に指令を与えることにより、撮影光学系１４の可動レンズを移動させることにより、撮影光学系１４のズーム率を変化させる。
制御部１１４は、モード切り換え用スイッチ２８Ｄの操作に基づいて映像信号処理部１０４に指令を与える。これにより、制御部１１４は、映像信号処理部１０４によって動画データを生成させる動画撮影モードと、映像信号処理部１０４によって静止画データを生成させる静止画撮影モードとを切り換える。
なお、動画撮影モードでは、映像信号処理部１０４で生成された動画データが記録再生部１１２を介してメモリカード２に記録される。また、静止画撮影モードでは、映像信号処理部１０４で生成されたで生成された静止画データが記録再生部１１２を介してメモリカード２に記録される。
【００１３】
制御部１１４は、動画撮影用スイッチ２８Ｅの操作に基づいて動画データの記録の開始、記録の停止を行わせる。
すなわち、制御部１１４は、動画撮影用スイッチ２８Ｅの操作に基づいて映像信号処理部１０４および記録再生部１１２に指令を与える。これにより、制御部１１４は、映像信号処理部１０４からに供給される動画データを記録再生部１１２を介してメモリカード用インターフェース１２０に供給する。この結果、制御部１１４は、動画データをメモリカード２に記録させる動作を開始させ、あるいは、その動作を停止させる。
言い換えると、動画撮影用スイッチ２８Ｅは、いわゆる撮影スタート／ストップの操作部材として機能している。
【００１４】
また、パネル側動画撮影用スイッチ３０Ａ、パネル側ズーム用スイッチ３０Ｂ、メニュー操作用スイッチ３０Ｃは制御部１１４に接続されている。
パネル側動画撮影用スイッチ３０Ａは動画撮影用スイッチ２８Ｅと同様の機能を有している。
パネル側ズーム用スイッチ３０Ｂはズーム用スイッチ２８Ｃと同様の機能を有している。
また、メニュー操作用スイッチ３０Ｃは、ディスプレイパネル２２に表示されるメニューの階層を最上位の階層に直接戻すために操作されるスイッチである。
モータ駆動部４１は、制御部１１４の制御に基づいて後述する絞り装置４０のモータ５６（図４）の駆動制御を行うものである。
【００１５】
次に撮像装置１０の構成について説明する。
図１、図２に示すように、筐体１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
レンズ鏡筒１６は、筐体１２の上部の前部で前後に延在し、その前部が筐体１２の前面に臨むように設けられている。したがって、被写体像は筐体１２の前部から筐体１２の内部に導かれる。
撮像素子１８（図３）はレンズ鏡筒１６の後端に設けられている。
マイクロフォン２０はレンズ鏡筒１６の上面に設けられている。
【００１６】
ディスプレイパネル２２は、筐体１２の左側部に開閉可能に設けられている。
ディスプレイパネル２２は、ディスプレイ装置３２とパネル用ケース３４とを備え、長方形板状を呈している。
図２に示すように、ディスプレイ装置３２は、撮像素子１８によって撮像された被写体像などを表示するものである。
ディスプレイ装置３２は、画像を表示する長方形の表示面３２０２を有し、この表示面３２０２はディスプレイパネル２２の内面を構成している。
本実施の形態では、ディスプレイ装置３２は液晶ディスプレイ装置で構成されているが、ディスプレイ装置３２の種類は任意であり、例えば、有機ＥＬディスプレイ装置であってもよい。
【００１７】
ディスプレイパネル２２は、その一方の短辺寄りの箇所がヒンジ２２０２を介して筐体１２の左側部の前部寄りの箇所に連結されている。
これにより、ディスプレイパネル２２は、筐体１２の上下方向に延在する第１の軸線Ｏ１回りに揺動可能に、かつ、第１の軸線Ｏ１と直交する第２の軸線Ｏ２回りに揺動可能に連結されている。
本実施の形態では、ディスプレイパネル２２は、図１に示す収容位置と、図２に示す開放位置との間で揺動するように構成されている。
すなわち、図１の収容位置では、ディスプレイパネル２２は、第１の軸線Ｏ１回りで、ディスプレイ装置３２の表示面３２０２（パネル２２の内面）が筐体１２の左側面１２Ａに重ね合わされている。
また、図２の開放位置では、ディスプレイパネル２２は、収容位置から９０度開かれディスプレイ装置３２の表示面３２０２が後方を向いている。
なお、表示面３２０２（パネル２２の内面）を筐体１２の左側面１２Ａに重ね合わせた収容位置においてディスプレイパネル２２の外面２２１０（図１）が外方に向けられる。
また、ディスプレイパネル２２は、前記開放位置において第２の軸線Ｏ２回りに、ディスプレイ装置３２の表示面３２０２が前方を向いた位置と、下方を向いた位置との間で２７０度の範囲で揺動するように構成されている。
【００１８】
図２に示すように、筐体１２の左側面１２Ａには、種々の操作を行うための複数の操作スイッチ２４、スピーカー２６などが設けられている。
筐体１２の上部の後部寄りの箇所には、電源スイッチ２８Ａ、静止画撮影用スイッチ２８Ｂ、ズーム用スイッチ２８Ｃ、モード切り換え用スイッチ２８Ｄなどが設けられている。
また、筐体１２の後面には、動画撮影用スイッチ２８Ｅが設けられている。
また、ディスプレイパネル２２には、パネル側動画撮影用スイッチ３０Ａ、パネル側ズーム用スイッチ３０Ｂ、メニュー操作用スイッチ３０Ｃなどが設けられている。
【００１９】
図２に示すように、筐体１２の左側面１２Ａの下部に、メモリカード２が挿脱されるスロット３６とスロット３６の開口３６０２を開閉する蓋体３８が設けられている。
メモリカード２はスロット３６に挿入されることで、メモリカード２の接続端子がスロット３６内部のコネクタ（不図示）に電気的に接続される。これにより、メモリカード２は、コネクタを介してメモリカード用インターフェース１２０との間で信号の授受を行う。
【００２０】
次に本発明の要旨である絞り装置４０について説明する。
図４は前方から見た絞り装置４０の分解斜視図、図５は後方から見た絞り装置４０の分解斜視図である。
図６はベース部材４２に対するモータ５６の組み立て説明図、図７はベース部材４２にモータ５６と環板５４とが組み込まれた状態を示す平面図である。
図８はベース部材４２に対する環板５４と固定絞り７０と仕切り板４４の組み立て説明図、図９は仕切り板４４、蓋体５８、各絞り羽根４６、４８、５０およびスペーサ５２を示す分解斜視図である。
図１０は仕切り板４４を後方から見た斜視図、図１１は蓋体５８を前方から見た斜視図である。
図１２は絞り用開口２が開放状態にある絞り装置４０を後方から見た平面図である。
図１３は絞り用開口２を１段絞った状態の絞り装置４０を後方から見た平面図である。
図１４は絞り用開口２を６段絞った状態の絞り装置４０を後方から見た平面図である。
図１５は絞り用開口２が全閉状態にある絞り装置４０を後方から見た平面図である。
【００２１】
図３、図１２に示すように、絞り装置４０は、撮影光学系１４を介して撮像素子１８に導かれる光線束を制限する絞り用開口２の大きさを調整することで、撮像素子１８に導かれる光量の調整を行うものである。
絞り装置４０は、撮像素子１８の前方に配置され、本実施の形態では、絞り装置４０は、ベース部材４２と、仕切り板４４と、一対の直進絞り羽根４６と、一対の第１揺動絞り羽根４８と、一対の第２揺動絞り羽根５０と、２枚のスペーサ５２と、環板５４と、モータ５６と、蓋体５８などを含んで構成されている。
【００２２】
ベース部材４２は光を透過しない合成樹脂製で長方形板状を呈し、その長辺方向を筐体１２の上下に向けた状態でレンズ鏡筒１６に組み込まれている。
ベース部材４２は、図４、図５に示すように、前方に臨む前面４２Ａと後方に臨む後面４２Ｂとを有し、ベース部材４２には撮影光学系１４の光軸Ｌを中心とした円形の光路用孔４２Ｃが形成されている。
ベース部材４２の後面４２Ｂには、図５に示すように、仕切り板４４と、一対の直進絞り羽根４６と、一対の第１揺動絞り羽根４８と、一対の第２揺動絞り羽根５０と、２枚のスペーサ５２と、環板５４とを収容する凹状の収容部６０が設けられている。
また、後面４２には、図７に示すように、２つの直進絞り羽根４６をそれぞれスライド可能に案内する直進絞り羽根用ガイドピン６２が１つの直進絞り羽根４６について２つずつ設けられている。それら直進絞り羽根用ガイドピン６２は光路用孔４２Ｃの周囲近傍に設けられている。
また、後面４２Ｂには、図７に示すように、一対の第１揺動絞り羽根４８をそれぞれ揺動可能に支持する第１揺動絞り羽根用支軸６４がそれぞれ設けられている。また、後面４２Ｂには、一対の第２揺動絞り羽根５０をそれぞれ揺動可能に支持する第２揺動絞り羽根用支軸６６がそれぞれ設けられている。
凹状の収容部６０の底部で光路用孔４２Ｃの周囲には、図６に示すように、環板５４を収容すると共に、環板５４を回転可能に支持する円形の凹部６８が形成されている。
凹部６８には、図７、図８に示すように、後述する環板５４の突片５４Ｃおよびギア部５５が移動するための扇状凹部６８Ａ、６８Ｂが凹部６８の半径方向外側に突出しかつ凹部６８の周方向に延在形成されている。
【００２３】
環板５４は光を透過しない合成樹脂製で、図５、図７に示すように、環板状の環板部５４Ａを有し、環板部５４Ａの中心には光路用孔５４Ｂが形成されている。
環板部５４Ａの外周の一部に、突片５４Ｃが設けられている。
また、環板部５４Ａの外周の一部で、突片５４Ｃに対して１８０度の間隔をおいた箇所にギア部５５が設けられ、ギア部５５は、環板５４の中心軸を中心とする扇状に形成されている。
環板部５４Ａが厚さ方向の他方に臨む面（後方に臨む面）には、２つの直進絞り羽根用駆動ピン５４Ｄと、２つの第１揺動絞り羽根用駆動ピン５４Ｅとが設けられている。
突片５４Ｃが厚さ方向の他方に臨む面（後方に臨む面）とギア部５５が厚さ方向の他方に臨む面（後方に臨む面）とには、第２揺動絞り羽根用駆動ピン５４Ｆがそれぞれ１つずつ突設されている。
２つの直進絞り羽根用駆動ピン５４Ｄは、環板５４の中心軸を中心に１８０度の間隔をおいて設けられている。
２つの第１揺動絞り羽根用駆動ピン５４Ｅは、環板５４の中心軸を中心に１８０度の間隔をおいて設けられている。
２つの第２揺動絞り羽根用駆動ピン５４Ｆは、環板５４の中心軸を中心に１８０度の間隔をおいて設けられている。
【００２４】
モータ５６は、図６に示すように、ケース５６Ａと、取り付け片５６Ｂと、駆動ギア５６Ｃとを有し、モータ駆動部４１（図３）から供給される駆動電流に基づいて駆動ギア５６Ｃが正方向あるいは逆方向に回転駆動される。
ケース５６Ａは取り付け片５６Ｂを介してベース４２の前面４２Ａに取着されている。
駆動ギア５６Ｃはケース５６Ａの一端から突出する駆動軸に固定されている。
図７に示すように、駆動ギア５６Ｃは、ベース４２に設けられた開口４２０２を介してベース４２の後面４２Ｂに臨み、環板５４のギア部５５に噛合している。
モータ５６が正逆方向に回転駆動することにより、駆動ギア５６Ｃおよびギア部５５を介して環板５４が該環板５４の中心軸を中心として時計回り、反時計回りに揺動される。
【００２５】
図５において、符号７０は環板５４と仕切り板４４との間に設けられる固定絞りである。
固定絞り７０は、光を透過しない合成樹脂製で薄板状に形成されている。
図８に示すように、固定絞り７０の中央には、絞り用開口２の最大径を決定する正円状の孔７０Ａが形成されている。
固定絞り７０には、２つの直進絞り羽根用駆動ピン５４Ｄと、２つの第１揺動絞り羽根用駆動ピン５４Ｅとが挿通される逃げ溝７０Ｂが光軸Ｌの周方向に延在して２つ設けられている。
さらに、固定絞り７０には、４つの直進絞り羽根用ガイドピン６２が挿通される挿通孔７０Ｃが形成されている。
固定絞り７０は、各挿通孔７０Ｃに直進絞り羽根用ガイドピン６２が挿通されることで光軸Ｌと直交する面内で移動不能とされる。
【００２６】
仕切り板４４は、図４、図５に示すように、環板５４と複数の絞り羽根４６、４８、５０との間に設けられ、環板５４と複数の絞り羽根４６、４８、５０とを隔てるものである。
仕切り板４４は、矩形状を呈する板金製の鋼板で形成され、ベース部材４２に取り付けられた状態で絞り用開口２を光軸Ｌ方向に露出させる光路用孔４４Ａが形成されている。
光路用孔４４Ａは固定絞り７０の孔７０Ａと同一またはそれ以上の直径を有している。
【００２７】
図５、図１０に示すように、仕切り板４４には、第１の挿通部４４０２、第２の挿通部４４０４と、第１のレール４４１０、第２のレール４４１２、第３のレール４４１４、第４のレール４４１６、第５のレール４４１８とが形成されている。
【００２８】
第１の挿通部４４０２は、２つの直進絞り羽根用駆動ピン５４Ｄと２つの第１揺動絞り羽根用駆動ピン５４Ｅが遊嵌されるものであり、光軸Ｌの周方向に延在して２つ形成されている。２つの直進絞り羽根用駆動ピン５４Ｄと２つの第１揺動絞り羽根用駆動ピン５４Ｅは第１の挿通部４４０２内において仕切り板４４に干渉されずに揺動する。
第２の挿通部４４０４は、２つの第２揺動絞り羽根用駆動ピン５４Ｆが遊嵌されるものであり、光軸Ｌの周方向に延在して２つ形成されている。２つの第２揺動絞り羽根用駆動ピン５４Ｆは、第２の挿通部４４０４内において仕切り板４４に干渉されずに揺動する。
【００２９】
第１のレール４４１０は、一対の直進絞り羽根４６のうち仕切り板４４寄りに配置される直進絞り羽根４６の移動を案内するものであり、本実施の形態では、直進絞り羽根４６の移動方向に沿って（上下方向に沿って）直線状に延在して４つ設けられている。
第２のレール４４１２は、一対の第２揺動絞り羽根５０のうち仕切り板４４寄りに配置される第２揺動絞り羽根５０の移動を案内するものであり、本実施の形態では、第２揺動絞り羽根５０の移動方向に沿って円弧状に延在して２つ設けられている。
第３のレール４４１４は、一対の直進絞り羽根４６のうち蓋体５８寄りに配置される直進絞り羽根４６の移動を案内するものであり、本実施の形態では、直進絞り羽根４６の移動方向に沿って（上下方向に沿って）直線状に延在して３つ設けられている。
【００３０】
第４のレール４４１６は、一対のスペーサ５２のうち仕切り板４４の幅方向の一方に配置されるスペーサ５２に当接するものである。本実施の形態では、第４のレール４４１６は、スペーサ５２の延在方向に沿って（上下方向に沿って）直線状に延在して２つ設けられている。
第５のレール４４１８は、一対のスペーサ５２のうち仕切り板４４の幅方向の他方に配置されるスペーサ５２に当接するものである。本実施の形態では、第５のレール４４１８は、スペーサ５２の延在方向に沿って（上下方向に沿って）直線状に延在して１つ設けられている。
【００３１】
図１０において、符号４４２０は仕切り板４４に形成され、４つの直進絞り羽根用ガイドピン６２がそれぞれ遊嵌される切り欠きを示している。
また、符号４４２２は仕切り板４４に形成され、２つの第１揺動絞り羽根用支軸６４がそれぞれ挿通される挿通孔を示している。
また、符号４４２４は仕切り板４４に形成され、２つの第２揺動絞り羽根用支軸６６がそれぞれ挿通される挿通孔を示している。
これら２つの第１揺動絞り羽根用支軸６４と２つの第２揺動絞り羽根用支軸６６とがそれぞれ挿通穴４４２２、４４２４に挿通されることで、仕切り板４４は光軸Ｌと直交する面内で移動不能とされる。
また、符号４４２６は仕切り板４４に形成され、仕切り板４４をベース部材４２に係合させる係合爪を示し、本実施の形態では、係合爪４４２６は、仕切り板４４の長手方向の一方（上側）の縁部に１つ、他方（下側）の縁部に２つ設けられている。
【００３２】
図２１は直進絞り羽根４６の平面図である。
直進絞り羽根４６は光を透過しない合成樹脂製で薄板状を呈し、直線部と、該直線部に続く湾曲部とで構成されている。
直線部には、２つの直線状案内溝４６０２と、カム溝４６０４が形成され、湾曲部には、開口形成用縁部４６Aが形成されている。
２つの直線状案内溝４６０２は、該直進絞り羽根４６を直進移動可能に案内するものであり、板部４６Ａの直線部に沿った同一直線上に延在形成されている。
カム溝４６０４は２つの直線状案内溝４６０２の間の箇所で前記直線と直交する方向に延在形成されている。
開口形成用縁部４６Ａは、絞り装置４０の絞り用開口２を形成するものであり、板部４６Ａの湾曲部に沿って凹状の半円弧状に延在形成されている。
【００３３】
図２２は第１揺動絞り羽根４８の平面図である。
第１揺動絞り羽根４８は光を透過しない合成樹脂製で薄板状を呈し細長形状を呈している。
第１揺動絞り羽根４８には、孔４８０２と、カム溝４８０４と、開口形成用縁部４８Ａが設けられている。
孔４８０２は、第１揺動絞り羽根４８の長手方向の一端に形成されている。
カム溝４８０４は、第１揺動絞り羽根４８の長手方向の中間部に延在形成されている。
開口形成用縁部４８Ａは、絞り装置４０の絞り用開口２を形成するものであり、第１揺動絞り羽根４８の長手方向の他端寄りの幅方向の一側に沿って凹状の円弧状に延在形成されている。
【００３４】
図２３は第２揺動絞り羽根５０の平面図である。
第２揺動絞り羽根５０は光を透過しない合成樹脂製で薄板状を呈し、長手方向の両端に至るに従ってその幅が次第に狭くなる形状を呈している。
第２揺動絞り羽根５０には、孔５００２と、カム溝５００４と、開口形成用縁部５０Ａが設けられている。
孔５００２は、板部５０Ａの長手方向の一端に形成されている。
カム溝５００４は、板部５０Ａの長手方向の中間部に延在形成される。
開口形成用縁部５０Ａは、絞り装置４０の絞り用開口２を形成するものであり、第２揺動絞り羽根５０の長手方向の他端寄りの幅方向の一側に沿って凹状の円弧状に延在形成されている。
【００３５】
図２４はスペーサ５２の平面図である。
スペーサ５２は光を透過しない合成樹脂製で薄板状を呈し細長形状を呈している。
スペーサ５２は長手方向に間隔をおいて２つの取付孔５２０２が形成されている。
【００３６】
蓋体５８は、ベース部材４２に取着され収容部６０に収容した複数の絞り羽根４６、４８、５０、スペーサ５２、固定絞り７０、環板５４を覆うものであり、それら部材をベース部材４２に脱落不能に保持している。
蓋体５８は、板金製の矩形状の薄い鋼板からなる。
蓋体５８には、ベース部材４２に取り付けられた状態で絞り用開口２を光軸Ｌ方向に露出させる光路用孔５８Ａが形成されている。
光路用孔５８Ａは固定絞り７０の孔７０Ａと同一またはそれ以上の直径を有している。
【００３７】
図５、図１１に示すように、蓋体５８には、第３の挿通部５８０２、第４の挿通部５８０４と、第６のレール５８１０、第７のレール５８１２、第８のレール５８１４、第９のレール５８１６、第１０のレール５８１８とが形成されている。
【００３８】
第３の挿通部５８０２は、２つの直進絞り羽根用駆動ピン５４Ｄと２つの第１揺動絞り羽根用駆動ピン５４Ｅが遊嵌されるものであり、光軸Ｌの周方向に延在して２つ形成されている。
第４の挿通部５８０４は、２つの第２揺動絞り羽根用駆動ピン５４Ｆが遊嵌されるものであり、光軸Ｌの周方向に延在して２つ形成されている。
【００３９】
第６のレール５８１０は、一対の直進絞り羽根４６のうち蓋体５８寄りに配置される直進絞り羽根４６の移動を案内するものであり、本実施の形態では、直進絞り羽根４６の移動方向に沿って（上下方向に沿って）直線状に延在して４つ設けられている。
第７のレール５８１２は、一対の第２揺動絞り羽根５０のうち蓋体５８寄りに第２揺動絞り羽根５０の移動を案内するおのであり、本実施の形態では、第２揺動絞り羽根５０の移動方向に沿って円弧状に延在して２つ設けられている。
第８のレール５８１４は、一対の直進絞り羽根４６のうち仕切り板４４寄りに配置される直進絞り羽根４６の移動を案内するものであり、本実施の形態では、直進絞り羽根４６の移動方向に沿って（上下方向に沿って）直線状に延在して３つ設けられている。
【００４０】
第９のレール５８１６は、一対のスペーサ５２のうち仕切り板４４の幅方向の一方に配置されるスペーサ５２に当接するものである。本実施の形態では、第９のレール５８１６は、スペーサ５２の延在方向に沿って（上下方向に沿って）直線状に延在して１つ設けられている。
第１０のレール５８１８は、一対のスペーサ５２のうち仕切り板４４の幅方向の他方に配置されるスペーサ５２に当接するものである。本実施の形態では、第１０のレール５８１８は、スペーサ５２の延在方向に沿って（上下方向に沿って）直線状に延在して２つ設けられている。
したがって、本実施の形態では、仕切り板４４の幅方向の一方に配置されるスペーサ５２は、第４のレール４４１６と第９のレール５８１６により光軸Ｌ方向において挟まれ、光軸Ｌ方向の位置決めがなされている。
また、本実施の形態では、仕切り板４４の幅方向の他方に配置されるスペーサ５２は、第５のレール４４１８と第１０のレール５８１８により光軸Ｌ方向において挟まれ、光軸Ｌ方向の位置決めがなされている。
【００４１】
図１１において、符号５８２０は４つの直進絞り羽根用ガイドピン６２がそれぞれ挿通される挿通孔を示している。
また、符号５８２２は蓋体５８に形成され、２つの第１揺動絞り羽根用支軸６４がそれぞれ挿通される挿通孔を示している。
また、符号５８２４は蓋体５８に形成され、２つの第２揺動絞り羽根用支軸６６がそれぞれ挿通される挿通孔を示している。
これら２つの第１揺動絞り羽根用支軸６４と２つの第２揺動絞り羽根用支軸６６とがそれぞれ挿通穴５８２２、５８２４に挿通されることで、蓋体５８は光軸Ｌと直交する面内で移動不能とされる。
また、符号５８２６は蓋体５８に形成され、蓋体５８をベース部材４２に係合させる係合爪を示し、本実施の形態では、係合爪５８２６は、蓋体５８の長手方向の一方（上側）の縁部に２つ、他方（下側）の縁部に１つ設けられている。
【００４２】
次に、絞り装置４０の組み付けについて説明する。
図４、図５に示すように、まず、環板５４の直進絞り羽根用駆動ピン５４Ｄ、第１揺動絞り羽根用駆動ピン５４Ｅ、第２揺動絞り羽根用駆動ピン５４Ｆを後方に向けた状態で環板５４をベース部材４２の凹部６８に収容する。
次いで、固定絞り７０の逃げ溝７０Ｂに、各駆動ピン５４Ｄ、５４Ｅを挿通させ、挿通孔７０Ｃに、各直進絞り羽根用ガイドピン６２を挿通させることで固定絞り７０を環板部５４を挟んでベース部材４２に取着する。
【００４３】
次に、仕切り板４４をベース部材４２に組み付ける。
すなわち、仕切り板４４の各レール４４１０、４４１２、４４１４、４４１６、４４１８を後方に向け、第１の挿通部４４０２に直進絞り羽根用駆動ピン５４Ｄと第１揺動絞り羽根用駆動ピン５４Ｅを挿通させる。これと共に、第２の挿通部４４０４に各第２揺動絞り羽根用駆動ピン５４Ｆを挿通させる。
またこれと共に、挿通孔４４２２、４４２４に第１揺動絞り羽根用支軸６４、第２揺動絞り羽根用支軸６６をそれぞれ挿通させる。
そして、係合爪４４２６をベース部材４２に係合させることにより、仕切り板４４を固定絞り７０および環板部５４を挟んでベース部材４２に取着する。
【００４４】
次に、一対の直進絞り羽根４６の一方と、一対の第１揺動絞り羽根４８の一方と、一対の第２揺動絞り羽根５０の一方と、２枚のスペーサ５２の一方とをベース部材４２に組み付ける。
すなわち、図５に示すように、一対の第２揺動絞り羽根５０のうち一方の第２揺動絞り羽根５０をベース部材４２の後面４２Ｂに臨ませつつ、第２揺動絞り羽根５０の孔５００２に一方の第２揺動絞り羽根用支軸６６を挿通する。これと共に、一方の第２揺動絞り羽根５０のカム溝５００４に一方の第２揺動絞り羽根用駆動ピン５４Ｆを挿通する。
次いで、一対の第１揺動絞り羽根４８のうち一方の第１揺動絞り羽根４８を一方の第２揺動絞り羽根５０の上に重ね合わせるように、一方の第１揺動絞り羽根４８の孔４８０２に一方の第１揺動絞り羽根用支軸６４を挿通する。これと共に、一方の第１揺動絞り羽根４８のカム溝４８０４に一方の第１揺動絞り羽根用駆動ピン５４Ｅを挿通する。
次いで、一対の直進絞り羽根４６のうち一方の直進絞り羽根４６を、一方の第１、第２揺動絞り羽根４８、５０の上に重ね合わせるように、一方の直進絞り羽根４６の２つの直線状案内溝４６０２に一方の直進絞り羽根用ガイドピン６２をそれぞれ挿通する。これと共に、一方の直進絞り羽根４６のカム溝４６０４に一方の直進絞り羽根用駆動ピン５４Ｄを挿通する。
次いで、２枚のスペーサ５２のうち一方のスペーサ５２を一方の直進絞り羽根４６の上に重ね合わせるように、一方のスペーサ５２の２つの取付孔５２０２に一方の２つの直進絞り羽根用ガイドピン６２をそれぞれ挿通する。
【００４５】
次に、一対の直進絞り羽根４６の他方と、一対の第１揺動絞り羽根４８の他方と、一対の第２揺動絞り羽根５０の他方と、２枚のスペーサ５２の他方とをベース部材４２に組み付ける。
すなわち、２枚のスペーサ５２のうち他方のスペーサ５２を一方の第１揺動絞り羽根４８の上に重ね合わせるように、他方のスペーサ５２の２つの取付孔５２０２に他方の２つの直進絞り羽根用ガイドピン６２をそれぞれ挿通する。
次いで、一対の直進絞り羽根４６のうち他方の直進絞り羽根４６を、２枚のスペーサ５２の上に重ね合わせるように、他方の直進絞り羽根４６の２つの直線状案内溝４６０２に他方の直進絞り羽根用ガイドピン６２をそれぞれ挿通する。これと共に、他方の直進絞り羽根４６のカム溝４６０４に他方の直進絞り羽根用駆動ピン５４Ｄを挿通する。
次いで、一対の第１揺動絞り羽根４８のうち他方の第１揺動絞り羽根４８を他方の直進絞り羽根４６の上に重ね合わせるように、他方の第１揺動絞り羽根４８の孔４８０２に他方の第１揺動絞り羽根用支軸６４を挿通する。これと共に、他方の第１揺動絞り羽根４８のカム溝４８０４に他方の第１揺動絞り羽根用駆動ピン５４Ｅを挿通する。
次いで、一対の第２揺動絞り羽根５０のうち他方の第２揺動絞り羽根５０を他方の直進絞り羽根４６および他方の第１揺動絞り羽根４８の上に重ね合わせるように、他方の第２揺動絞り羽根５０の孔５００２に他方の第２揺動絞り羽根用支軸６６を挿通する。これと共に、他方の第２揺動絞り羽根５０のカム溝５００４に他方の第２揺動絞り羽根用駆動ピン５４Ｆを挿通する。
【００４６】
このようにして、一対の直進絞り羽根４６と、一対の第１揺動絞り羽根４８と、一対の第２揺動絞り羽根５０と、２枚のスペーサ５２が孔４２Ｃの周囲に配置される。そして、それら羽根４６、４８、５０、スペーサ５２とベース部材４２とにより仕切り板４４、固定絞り７０、環板５４が挟まれる。
【００４７】
最後に、図４、図５に示すように、蓋体５８を、ベース部材４２の後方からベース部材４２に取り付ける。
すなわち、蓋体５８の各レール５８１０、５８１２、５８１４、５８１６、５８１８を前方に向け、第３の挿通部５８０２に直進絞り羽根用駆動ピン５４Ｄと第１揺動絞り羽根用駆動ピン５４Ｅを挿通させる。これと共に、第４の挿通部５８０４に各第２揺動絞り羽根用駆動ピン５４Ｆを挿通させる。
またこれと共に、挿通孔５８２２、５８２４に第１揺動絞り羽根用支軸６４、第２揺動絞り羽根用支軸６６をそれぞれ挿通させる。
そして、係合爪５８２６をベース部材４２に係合させる。
これにより、収容部６０に収容されてベース部材４２に組み付けられた環板５４と、固定絞り７０と、仕切り板４４と一対の直進絞り羽根４６と、一対の第１揺動絞り羽根４８と、一対の第２揺動絞り羽根５０と、２枚のスペーサ５２とが蓋体５８によって覆われる。
【００４８】
したがって、仕切り板４４上に、一方の第２揺動絞り羽根５０、一方の第１揺動絞り羽根４８、一方の直進絞り羽根４６、他方の直進絞り羽根４６、他方の第１揺動絞り羽根４８、他方の第２揺動絞り羽根５０がこれらの順番に重ね合わされた状態となる。
また、これと共に、一方のスペーサ５２が一方の直進絞り羽根４６と他方の第１揺動絞り羽根４８との間に介在され、他方のスペーサ５２が一方の第１揺動絞り羽根４８と他方の直進絞り羽根４６との間に介在された状態となる。
また、２組の各一対の揺動絞り羽根４６、４８のうちの一方の揺動絞り羽根４６、４８は、一対の直進絞り羽根４６が光軸方向に臨む両面のうちの一方の面である前面側に配置される。
また、２組の各一対の揺動絞り羽根４６、４８のうちの他方の揺動絞り羽根４６、４８は、一対の直進絞り羽根４６が光軸方向に臨む両面のうちの他方の面である後面側に配置されることになる。
また、一対の直進絞り羽根４６は、絞り用開口２の対向する箇所に光軸Ｌと直交する平面に沿って光軸Ｌに対して接離する方向に直線移動可能に設けられることになる。
また、一対の第１揺動絞り羽根４８は、絞り用開口２の対向する箇所に光軸Ｌと平行する軸心を中心として光軸Ｌに対して接離する方向に揺動可能に設けられることになる。
また、一対の第２揺動絞り羽根５０は、絞り用開口２の対向する箇所に光軸Ｌと平行する軸心を中心として光軸Ｌに対して接離する方向に揺動可能に設けられることになる。
【００４９】
また、直進絞り羽根４６を直線移動させると共に第１、第２揺動絞り羽根４８、５０を揺動させることで絞り用開口２の大きさを調整する駆動機構が、モータ５６と、駆動ギア５６Ｃと、ギア部５５と、環板５４とを含んで構成されている。
また、図１２乃至図１５に示すように、直進絞り羽根４６の開口形成用縁部４４Ａにより、直進絞り羽根４６が直線移動される方向における絞り用開口２の縁部分が形成される。
また、第１揺動絞り羽根４８の開口形成用縁部４６Ａおよび第２揺動絞り羽根５０の開口形成用縁部４８Ａにより、直進絞り羽根４６が直線移動される方向と直交する方向おける絞り用開口２の縁部分が形成される。
また、図１２乃至図１５に示すように、第１揺動絞り羽根用支軸６４（一対の第１揺動絞り羽根４８の揺動支点）は、光軸方向から見て一対の直進絞り羽根４６の移動軌跡の延長範囲内に位置している。
また、図１２乃至図１５に示すように、第２揺動絞り羽根用支軸６６（一対の第２揺動絞り羽根５０の揺動支点）は、光軸方向から見て一対の直進絞り羽根４６の移動軌跡の延長範囲内に位置している。
また、図１２乃至図１５に示すように、前記駆動機構は、光軸方向から見て一対の直進絞り羽根４６の移動軌跡の延長範囲内に位置している。
【００５０】
次に、絞り装置４０の動作について説明する。
まず、図１２に示すように、絞り用開口２が開放状態にある場合について説明する。
直進絞り羽根４６の直線状案内溝４６０２の長手方向の一端に直進絞り羽根用ガイドピン６２が位置している。
また、第１揺動絞り羽根４８のカム溝４８０４の長手方向の一端に第１揺動絞り羽根用駆動ピン５４Ｅが位置し、第２揺動絞り羽根５０のカム溝５００４の長手方向の一端に第２揺動絞り羽根用駆動ピン５４Ｆが位置している。
この状態で、絞り用開口２は、一対の直進絞り羽根４６の開口形成用縁部４４Ａと、一対の第１揺動絞り羽根４８の開口形成用縁部４６Ａと、一対の第２揺動絞り羽根５０の開口形成用縁部４８Ａとによって略円形の形状となるように形成されている。
また、本実施の形態では、この開放状態において絞り用開口２の直径と固定絞り７０の孔７０Ａの直径とが同一となっている。
【００５１】
ここで、モータ５６が正方向に回転駆動されることにより、環板５４が所定量回転されると、一対の直進絞り羽根４６のカム溝４４０４に係合する直進絞り羽根用駆動ピン５４Ｄが揺動する。
これにより、直進絞り羽根４６は、ガイド溝４４０２およびこのガイド溝４４０２に係合する直進絞り羽根用ガイドピン６２を介して所定量直線移動する。
この結果、図１３に示すように、対向する一対の直進絞り羽根４６の開口形成用縁部４６Ａの間隔、すなわち、絞り用開口２の直径が縮小される。
また、環板５４が所定量回転されると、第１揺動絞り羽根用駆動ピン５４Ｅが揺動することによりカム溝４６０４を介して一対の第１揺動絞り羽根４８は第１揺動絞り羽根用支軸６４を中心に所定量揺動する。
これにより、図１３に示すように、対向する一対の第１揺動絞り羽根４８の開口形成用縁部４８Ａの間隔、すなわち、絞り用開口２の直径が縮小される。
また、環板５４が所定量回転されると、第２揺動絞り羽根用駆動ピン５４Ｆが揺動することによりカム溝４８０４を介して一対の第２揺動絞り羽根５０は第２揺動絞り羽根用支軸６６を中心に所定量揺動する。
これにより、図１３に示すように、対向する一対の第２揺動絞り羽根５０の開口形成用縁部５０Ａの間隔、すなわち、絞り用開口２の直径が縮小される。
この際、一対の直進絞り羽根４６の開口形成用縁部４６Ａの間隔と、一対の第１揺動絞り羽根４８の開口形成用縁部４８Ａの間隔と、一対の第２揺動絞り羽根５０の開口形成用縁部５０Ａの間隔との３つの間隔は略同一寸法となる。
言い換えると、一対の直進絞り羽根４６で形成される絞り用開口２の直径と、一対の第１揺動絞り羽根４８で形成される絞り用開口２の直径と、一対の第２揺動絞り羽根５０で形成される絞り用開口２の直径とが等しくなるようにした。
この結果、一対の直進絞り羽根４６の開口形成用縁部４６Ａと、一対の第１揺動絞り羽根４８の開口形成用縁部４８Ａと、一対の第２揺動絞り羽根５０の開口形成用縁部５０Ａとによって形成される絞り用開口２が縮小される。
図１３の場合は、絞り用開口２が１段分絞られており、絞り用開口２の形状は、開口形成用縁部４６Ａ、４８Ａ、５０Ａによって略正六角形の形状となる。
なお、絞り用開口２が図１２の開放状態から図１３の１段絞られた状態に至る過程において、絞り用開口２の形状は略円形から略正六角形の形状に連続的に変化している。
【００５２】
図１３の状態から、さらに、モータ５６が正方向に回転駆動され、環板５４がさらに回転されると、上述と同様の動作により、一対の直進絞り羽根４６が直線移動する。これと共に、一対の第１揺動絞り羽根４８および一対の第２揺動絞り羽根５０が揺動する。
これにより、図１４に示すように、一対の直進絞り羽根４６の開口形成用縁部４６Ａと、一対の第１揺動絞り羽根４８の開口形成用縁部４８Ａと、一対の第２揺動絞り羽根５０の開口形成用縁部５０Ａとによって形成される絞り用開口２がさらに縮小される。
図１４の場合は、絞り用開口２が６段分絞られており、絞り用開口２の形状は、開口形成用縁部４６Ａ、４８Ａ、５０Ａによって略正六角形の形状となる。
【００５３】
図１４の状態から、さらに、モータ５６が正方向に回転駆動され、環板５４がさらに回転されると、上述と同様の動作により、一対の直進絞り羽根４６が直線移動する。これと共に、第１、第２揺動絞り羽根４８、５０が揺動する。
これにより、一対の直進絞り羽根４６の開口形成用縁部４６Ａと、一対の第１揺動絞り羽根４８の開口形成用縁部４８Ａと、一対の第２揺動絞り羽根５０の開口形成用縁部５０Ａとによって形成される絞り用開口２がさらに縮小される。やがて、図１５に示すように、絞り用開口２の全閉状態が形成される。
なお、この全閉状態において、一対の直進絞り羽根４６のガイド溝４４０２の長手方向の他端に直進絞り羽根用ガイドピン６２が位置している。
また、一対の第１揺動絞り羽根４８のカム溝４６０４の長手方向の他端に第１揺動絞り羽根用駆動ピン５４Ｅが位置し、一対の第２揺動絞り羽根５０のカム溝４８０４の長手方向の他端に第２揺動絞り羽根用駆動ピン５４Ｆが位置している。
【００５４】
図１５の全閉状態から、モータ５６が逆方向に回転駆動され、環板５４が上記とは逆方向に回転されると、一対の直進絞り羽根４６が上述と逆の方向に直線移動すると共に、一対の第１揺動絞り羽根４８および一対の第２揺動絞り羽根５０が上述と逆方向に揺動する。
これにより、一対の直進絞り羽根４６の開口形成用縁部４６Ａと、一対の第１揺動絞り羽根４８の開口形成用縁部４８Ａと、一対の第２揺動絞り羽根５０の開口形成用縁部５０Ａとによって絞り用開口２が形成される。
そして、図１４、図１３に示すように、絞り用開口２が形成され、モータ５６の逆方向への回転駆動により、絞り用開口２が次第に拡大され、やがて、図１２に示す絞り用開口２の開放状態が形成される。
なお、絞り用開口２が図１３の１段絞られた状態から図１２の開放状態に至る過程において、絞り用開口２の形状は略正六角形から略円形の形状に連続的に変化している。
【００５５】
したがって、モータ５６の回転方向および回転量を制御することにより、絞り装置４０の絞り用開口２が開放状態と全閉状態との間で調整される。
【００５６】
次に、スペーサ５２の機能について説明する。
図２５はスペーサ５２近傍箇所の拡大図であり、図２６は図２５からスペーサ５２を省いた拡大図である。
スペーサ５２は一対の第１揺動絞り羽根４８の揺動の円滑化を図るものである。
すなわち、図２６に示すように、２つの直進絞り羽根４６のうち一方の直進絞り羽根４６の直線状案内溝４６０２に対して２つの第１揺動絞り羽根４８のうち他方の第１揺動絞り羽根４８の縁部４８１０が臨んでいる。
そのため、縁部４８１０が直線状案内溝４６０２に近接する方向に揺動したときに、縁部４８１０と直線状案内溝４６０２の縁部とが干渉して第１揺動絞り羽根４８の円滑な揺動が阻害されるおそれがある。
【００５７】
そこで、本実施の形態では、図２５に示すように、スペーサ５２を一方の直線絞り羽根４６の直線状案内溝４６０２と他方の第１揺動絞り羽根４８の縁部４８１０との間に介在させる。言い換えると、直線絞り羽根４６と第１揺動絞り羽根４８とを、それらの厚さ方向においてスペーサ５２を用いて分離する。
これにより、縁部４８１０と直線状案内溝４６０２の縁部との干渉が防止され、２つの第１揺動絞り羽根４８のうち他方の第１揺動絞り羽根４８の揺動の円滑化が図られている。
なお、２つのスペーサ５２のうち他方のスペーサ５２は、２つの直線絞り羽根４６のうち他方の直線絞り羽根４６の直線状案内溝４６０２と２つの第１揺動絞り羽根４８のうち一方の第１揺動絞り羽根４８の縁部４８１０との間に介在されている。
これにより上述と同様に、２つの第１揺動絞り羽根４８のうち一方の第１揺動絞り羽根４８の揺動の円滑化が図られている。
【００５８】
図１６は絞り用開口２の開放状態における一方の第２揺動絞り羽根５０の位置を示す平面図である。
図１７は絞り用開口２の全閉状態における一方の第２揺動絞り羽根５０を示す平面図である。
図１８は絞り用開口２の開放状態における一方の直進絞り羽根４６、第１揺動絞り羽根４８、一方の第２揺動絞り羽根５０の位置を示す平面図である。
図１９は絞り用開口２の全閉状態における一方の直進絞り羽根４６、第１揺動絞り羽根４８、一方の第２揺動絞り羽根５０の位置を示す平面図である。
図２０は、仕切り板４４、一方の直進絞り羽根４６、第１揺動絞り羽根４８、一方の第２揺動絞り羽根５０の断面図である。
【００５９】
次に、仕切り板４４に形成された各レールの機能について詳細に説明する。
図２０に示すように、一対の第２揺動絞り羽根５０のうちの一方の第２絞り羽根５０、一対の第１揺動絞り羽根４８のうちの一方の第１揺動絞り羽根４８、一対の直進絞り羽根４６のうちの一方の直進絞り羽根４６がこの順番で仕切り板４４上に重ねられている。
また、図１８、図１９に示すように、一方の直進絞り羽根４６を案内する第１のレール４４１０は、一方の直進絞り羽根４６の移動軌跡内に配置され、一方の直進絞り羽根４６を案内するに足る高さで形成されている。
また、図１６、図１７に示すように、一方の第２揺動絞り羽根５０を案内する第２のレール４４１２は、一方の第２揺動絞り羽根５０の移動軌跡内に配置され、一方の第２揺動絞り羽根５０を案内するに足る高さで形成されている。この第２のレール４４１２は、第１のレール４４１０と異なる高さで形成されている。
また、図１６、図１７に示すように、第１、第２のレール４４１０、４４１２は、第１揺動絞り羽根４８の移動軌跡外に配置されている。
この結果、一方の直進絞り羽根４６は、第２のレール４４１２に接触することなく、第１のレール４４１０によって円滑に案内される。
また、一方の第２揺動絞り羽根５０は、第１のレール４４１０に接触することなく、第２のレール４４１２によって円滑に案内される。
また、第１揺動絞り羽根４８は、図２０に示すように、直進絞り羽根４６と第２絞り羽根５０との間に挟持された状態で、仕切り板４４に形成された複数のレールに接触することなく揺動される。
なお、本実施の形態では、一方の直進絞り羽根４６は、図１１に示す蓋体５８に形成された第８のレール５８１４によっても案内されるため、一方の直進絞り羽根４６の移動の円滑化がより一層図られている。
【００６０】
図１１に示すように、蓋体５８に形成された各レールの機能についても仕切り板４４に形成された各レールの機能と同様である。
図５に示すように、一対の直進絞り羽根４６のうちの他方の直進絞り羽根４６、一対の第１揺動絞り羽根４８のうちの他方の第１揺動絞り羽根４８、一対の第２揺動絞り羽根５０のうちの他方の第２絞り羽根５０がこの順番で一対のスペーサ５２上に重ねられている。
また、他方の直進絞り羽根４６を案内する第６のレール５８１０は、他方の直進絞り羽根４６の移動軌跡内に配置され、他方の直進絞り羽根４６を案内するに足る高さで形成されている。
また、他方の第２揺動絞り羽根５０を案内する第７のレール５８１２は、他方の第２揺動絞り羽根５０の移動軌跡内に配置され、他方の第２揺動絞り羽根５０を案内するに足る高さで形成されている。この第７のレール５８１２は、第６のレール５８１０と異なる高さで形成されている。
また、第６、第７のレール５８１０、５８１２は、第１揺動絞り羽根４８の移動軌跡外に配置されている。
この結果、他方の直進絞り羽根４６は、第７のレール５８１２に接触することなく、第６のレール５８１０に円滑に案内される。
また、他方の第２揺動絞り羽根５０は、第６のレール５８１０に接触することなく、第７のレール５８１２に円滑に案内される。
また、第１揺動絞り羽根４８は、直進絞り羽根４６と第２絞り羽根５０との間に挟持された状態で、仕切り板４４に形成された複数のレールに接触することなく揺動される。
したがって、他方の直進絞り羽根４６および他方の第２絞り羽根５０は、第６、第７のレール５８１０、５８１２によって円滑に案内されるため、移動の安定化が図られている。
なお、他方の直進絞り羽根４６、他方の第１揺動絞り羽根４８、他方の第２絞り羽根５０についても、仕切り板４４によって環板５４と隔てられ環板５４に接触しないため、摩擦負荷が軽減されることは無論である。
また、本実施の形態では、他方の直進絞り羽根４６は、図１０に示す仕切り板４４に形成された第３のレール４４１４によっても案内されるため、他方の直進絞り羽根４６の移動の円滑化がより一層図られている。
【００６１】
本実施の形態によれば、環板５４と複数の絞り羽根との間に、環板５４と複数の絞り羽根とを隔て各絞り羽根の移動を案内する複数のレールが形成された仕切り板４４を設けた。
したがって、一方の直進絞り羽根４６、一方の第１揺動絞り羽根４８、一方の第２絞り羽根５０は、仕切り板４４によって環板５４と隔てられる。
言い換えると、環板５４の上に一方の直進絞り羽根４６、一方の第１揺動絞り羽根４８、一方の第２絞り羽根５０を重ねて配置したにも拘わらず仕切り板４４により環板５４との接触が防止されるため、それら羽根の移動を円滑に行う上で有利となる。
さらに、一方の直進絞り羽根４６および一方の第２絞り羽根５０は、仕切り板４４の第１、第２のレール４４１０、４４１２によって案内されるため、それら羽根の移動を円滑に行う上でより有利となる。
その結果、各絞り羽根に作用する摩擦負荷を軽減し、絞り用開口２の大きさを安定して正確に調整する上で有利となり、ひいては、撮像時の露出制御を安定して正確に行う上で有利となる。
【００６２】
また、本実施の形態では、仕切り板４４に複数の絞り羽根の移動を円滑に行うためのレールを設けた。そのため、ベース部材４２に環板５４を配置し、環板５４の上に仕切り板４４を配置し、仕切り板４４の上に、一対の直進絞り羽根４６と、一対の第１揺動絞り羽根４８と、一対の第２揺動絞り羽根５０と、２枚のスペーサ５２を単に重ねて配置できる。
したがって、ベース部材４２に対して環板５４、仕切り板４４、複数の絞り羽根を順番に重ねることで組み立てが極めて簡単に行えるため、製造コストの低減を図る上で有利となる。しかも、仕切り板４４が板金製の鋼板であるため、仕切り板４４の剛性を確保しつつ厚さを薄くできるため小型化を図る上でも有利となる。
【００６３】
これに対して、ベース部材４２の前面４２Ａに凹部を設け該凹部に環板５４を回転可能に保持させる構成が考えられる。
例えば、ベース部材４２の後面４２Ｂに設けた収容部に一対の直進絞り羽根４６と、一対の第１揺動絞り羽根４８と、一対の第２揺動絞り羽根５０と、２枚のスペーサ５２と、蓋体５８とを設ける構成が考えられる。そして、この場合、環板５４とそれら絞り羽根のうちの一部の絞り羽根とが接触することになる。
この場合、複数の絞り羽根を案内するレールをベース部材４２に形成することはその構造上難しく、一部の絞り羽根が環板５４に接触することでそれら絞り羽根が受ける摩擦負荷が大きなものとなり、絞り羽根の移動を円滑に安定して行う上で不利がある。
しかも、この場合には、凹部に環板５４を回転可能に保持させる構成として、いわゆるバヨネット構造などを採用しなくてはならず、構造の複雑化を招きベース部材４２の厚さ寸法が大きなものとなり、小型化を図る上で不利となる。
さらに、環板５４を凹部に組み込む際の作業が煩雑なものとなり、製造コストの低減を図る上でも不利となる。
これに対して、本実施の形態では、レールが形成された仕切り板４４を設けるといった極めて簡単な構造により、各絞り羽根に作用する摩擦負荷を軽減できることは無論のこと、小型化および製造コストの低減化を図れるため有利である。
【００６４】
なお、本実施の形態では、絞り装置４０が一対の直進絞り羽根４６と、一対の第１揺動絞り羽根４８と、一対の第２揺動絞り羽根５０との合計６枚の絞り羽根を有する場合について説明したが、絞り装置４０は一対の直進絞り羽根と一対の揺動絞り羽根で構成されていてもよく、その場合、一対の揺動絞り羽根は複数組設けられていてもよく、要するに絞り羽根の合計枚数は４枚であってもあるいは８枚以上であってもよい。
また、本実施の形態では、撮像装置がビデオカメラである場合について説明したが、本発明は、デジタルスチルカメラやカメラ付き携帯電話機、監視カメラ装置などの撮像装置に広く適用可能である。
また、本実施の形態では、絞り装置が撮像装置に適用される場合について説明したが、本発明はこれに限定されるものではなく、例えば、本発明に係る絞り装置をプロジェクター装置における光源の絞り装置として用いるなど任意である。
【図面の簡単な説明】
【００６５】
【図１】本実施の形態の撮像装置１０の斜視図である。
【図２】撮像装置１０のディスプレイパネル２２が開放位置に位置した状態の斜視図である。
【図３】撮像装置１０の制御系の構成を示すブロック図である。
【図４】前方から見た絞り装置４０の分解斜視図である。
【図５】後方から見た絞り装置４０の分解斜視図である。
【図６】ベース部材４２に対するモータ５６の組み立て説明図である。
【図７】ベース部材４２にモータ５６と環板５４とが組み込まれた状態を示す平面図である。
【図８】ベース部材４２に対する環板５４と固定絞り７０と仕切り板４４の組み立て説明図である。
【図９】仕切り板４４、蓋体５８、各絞り羽根４６、４８、５０およびスペーサ５２を示す分解斜視図である。
【図１０】仕切り板４４を後方から見た斜視図である。
【図１１】蓋体５８を前方から見た斜視図である。
【図１２】絞り用開口２が開放状態にある絞り装置４０を後方から見た平面図である。
【図１３】絞り用開口２を１段絞った状態の絞り装置４０を後方から見た平面図である。
【図１４】絞り用開口２を６段絞った状態の絞り装置４０を後方から見た平面図である。
【図１５】絞り用開口２が全閉状態にある絞り装置４０を後方から見た平面図である。
【図１６】絞り用開口２の開放状態における一方の第２揺動絞り羽根５０の位置を示す平面図である。
【図１７】絞り用開口２の全閉状態における一方の第２揺動絞り羽根５０を示す平面図である。
【図１８】絞り用開口２の開放状態における一方の直進絞り羽根４６、第１揺動絞り羽根４８、一方の第２揺動絞り羽根５０の位置を示す平面図である。
【図１９】絞り用開口２の全閉状態における一方の直進絞り羽根４６、第１揺動絞り羽根４８、一方の第２揺動絞り羽根５０の位置を示す平面図である。
【図２０】仕切り板４４、一方の直進絞り羽根４６、第１揺動絞り羽根４８、一方の第２揺動絞り羽根５０の断面図である。
【図２１】直進絞り羽根４６の平面図である。
【図２２】第１揺動絞り羽根４８の平面図である。
【図２３】第２揺動絞り羽根５０の平面図である。
【図２４】スペーサ５２の平面図である。
【図２５】スペーサ５２近傍箇所の拡大図である。
【図２６】図２５からスペーサ５２を省いた拡大図である。
【符号の説明】
【００６６】
Ｌ……光軸、２……絞り用開口、１０……撮像装置、１６……レンズ鏡筒、４０……絞り装置、４２……ベース部材、４２Ｃ……光路用孔、４４……仕切り板４４Ａ……光路用孔、４４０２……第１の挿通部、４４０４……第２の挿通部、４４１０……第１のレール、４４１２……第２のレール、４４１４……第３のレール、４４１６……第４のレール、４４１８……第５のレール、４６……直進絞り羽根、４６０４……カム溝４６０４、４８……第１揺動絞り羽根、４８０４……カム溝、５０……第２揺動絞り羽根、５００４……カム溝、５４……環板、５４Ｄ……直進絞り羽根用駆動ピン、５４Ｅ……第１揺動絞り羽根用駆動ピン、５４Ｆ……第２揺動絞り羽根用駆動ピン、５６……モータ。
【図１】
2010145708.tif 000003
【図２】
2010145708.tif 000004
【図３】
2010145708.tif 000005
【図４】
2010145708.tif 000006
【図５】
2010145708.tif 000007
【図６】
2010145708.tif 000008
【図７】
2010145708.tif 000009
【図８】
2010145708.tif 000010
【図９】
2010145708.tif 000011
【図１０】
2010145708.tif 000012
【図１１】
2010145708.tif 000013
【図１２】
2010145708.tif 000014
【図１３】
2010145708.tif 000015
【図１４】
2010145708.tif 000016
【図１５】
2010145708.tif 000017
【図１６】
2010145708.tif 000018
【図１７】
2010145708.tif 000019
【図１８】
2010145708.tif 000020
【図１９】
2010145708.tif 000021
【図２０】
2010145708.tif 000022
【図２１】
2010145708.tif 000023
【図２２】
2010145708.tif 000024
【図２３】
2010145708.tif 000025
【図２４】
2010145708.tif 000026
【図２５】
2010145708.tif 000027
【図２６】
2010145708.tif 000028